(57)【要約】【課題】  着脱しやすく、かつ指の太さの変化にも対応して良好な状態で装着することができる指輪を提供する。【解決手段】  互いの下端部２ｄ、３ｄにおいて互いに回動自在に連結された一対のアーム２、３と、一対のアーム２、３とともに指が挿入されるループをなすように一対のアーム２、３の上端部２ｕ、３ｕ同士の間に連結されるとともに、ループの周長が変化可能なようにアーム２、３の上端部２ｕ、３ｕとスライド自在に連結された石座１と、互いの上端部２ｕ、３ｕ同士が近づくように一対のアーム２、３を回動させるための付勢力を、一対のアーム２、３の間に与える付勢機構４と、石座１に取り付けられた宝石とを備えている。【選択図】  図１
0003187251.tif 000002
【実用新案登録請求の範囲】
【請求項１】
互いの一端部において互いに回動自在に連結された一対のアームと、
前記一対のアームとともに指が挿入されるループをなすように前記一対のアームの他端部同士の間に連結されるとともに、前記ループの周長が変化可能なように前記アームの前記他端部とスライド自在に連結された石座と、
互いの前記他端部同士が近づくように前記一対のアームを前記回動させるための付勢力を、前記一対のアームの間に与える付勢機構と、
前記石座に取り付けられた宝石と
を備えた指輪。
【考案の詳細な説明】
【技術分野】
【０００１】
本考案は、宝石が載せられる石座を有する指輪に関する。
【背景技術】
【０００２】
一般的な指輪は、装着する指の太さに合わせて内径が定められており、この内径が一定である。しかし、人間は、指の根元部分に対して間接部分が太い場合が多い。また、加齢とともに指の間接部分がより太くなることも多い。
【０００３】
指の太い部分（関節部分）が通るように内径の定められた指輪を、指の細い部分（指の根元）に装着すると、指輪の内面と指との間にわずかな隙間が生じて回転してしまうことがある。特に、石座に宝石が載せられた指輪では、宝石の重さで指輪が回転してしまい、良好な状態で指輪を装着できなくなることがある。
【０００４】
そこで、特許文献１に記載の指輪は、石座に連結される腕（アーム）を２分割し、２分割した各腕の一端を摺動環を介して石座と連結し、各腕の他端に互いに異極となる磁石を埋設し、他端同士が着脱自在となるように構成している。
【先行技術文献】
【特許文献】
【０００５】
【特許文献１】実用新案登録第３１７５０１２号公報
【考案の概要】
【考案が解決しようとする課題】
【０００６】
特許文献１の構成では、指輪の内径を指の装着部分の太さに合わせて定めておくことにより、良好な状態で指輪を装着することができる。また、指輪を指に取り付けたり、指から取り外すときに、２分割された２つの腕の他端同士を分離させることにより、指の太い部分も通りやすくなり、着脱しやすくなる。
【０００７】
しかしながら、装着状態のときの指輪の内径が調整されるものではない。そのため、例えば、指輪を購入してから長い年月の経過による老化や体重の変動等により、指輪を装着する部分の指の太さが太くなったり、細くなったりした場合には、良好な装着状態を維持できなくなる。
【０００８】
本考案は上記のような課題を解決するためになされたもので、着脱しやすく、かつ指の太さの変化にも対応して良好な状態で装着することができる指輪を提供することを目的としている。
【課題を解決するための手段】
【０００９】
上記目的を達成するために、本考案のある形態に係る指輪は、互いの一端部において互いに回動自在に連結された一対のアームと、前記一対のアームとともに指が挿入されるループをなすように前記一対のアームの他端部同士の間に連結されるとともに、前記ループの周長が変化可能なように前記アームの前記他端部とスライド自在に連結された石座と、互いの前記他端部同士が近づくように前記一対のアームを前記回動させるための付勢力を、前記一対のアームの間に与える付勢機構と、前記石座に取り付けられた宝石とを備えている。
【００１０】
この構成によれば、ループの周長が変化可能であり、かつ、互いの他端部同士が近づくように一対のアームを回動させるための付勢力を、一対のアームの間に与えるよう構成されているため、老化や体重の変動等により、指輪を装着する部分の指の太さが変化しても、容易に着脱でき、かつ良好な状態で指輪を装着することができる。また、本来装着する指とは異なる指にも着脱容易で、かつ良好な状態で装着することや、家族等の他の人が着脱容易で、かつ良好な状態で装着することも可能になる。
【考案の効果】
【００１１】
本考案は、以上に説明した構成を有し、着脱しやすく、かつ指の太さの変化にも対応して良好な状態で装着することができる指輪を提供することができるという効果を奏する。
【図面の簡単な説明】
【００１２】
【図１】（ａ）、（ｂ）は、それぞれ本考案の実施形態の一例を示す指輪の側面図である。
【図２】（ａ）は、台座部の斜視図であり、（ｂ）は、台座部及びその近傍部分の指輪の斜視図である。
【図３】（ａ）は、一対のアームを側方から見た模式図である。（ｂ）は、一対のアームを裏側から見た図である。
【考案を実施するための形態】
【００１３】
以下、本考案の好ましい実施の形態を、図面を参照しながら説明する。なお、以下では全ての図面を通じて同一又は相当する要素には同一の参照符号を付して、その重複する説明を省略する。また、本考案は、以下の実施形態に限定されない。
【００１４】
（実施形態）
図１（ａ）、（ｂ）は、それぞれ本考案の実施形態の一例を示す指輪の側面図である。
【００１５】
この指輪は、宝石が取り付けられる石座１と、それぞれ円弧状（略円弧状を含む）の一対のアーム２、３と、付勢機構４と、石座１に取付けられた宝石（中石５及びその両側の２つの脇石６）とを備えている。石座１及びアーム２、３はそれぞれ、例えば、プラチナ、金等を材料とする鋳造加工等によって作製されている。
【００１６】
一対のアーム２、３は、互いの下端部（一端部）２ｄ、３ｄにおいて連結ピン１８を中心に回動自在に連結されている。また、アーム２、３の上端部（他端部）２ｕ、３ｕと石座１とが、アーム２、３に設けられた長穴２ａ、３ａと、石座１に取り付けられた連結ピン１７とによって、スライド自在に連結されている。これにより、石座１の内周面と一対のアーム２、３の内周面とによって指を挿入するためのループが形成され、そのループの周長を変化させることができる。図１（ａ）は、ループの周長が最小のときの状態を示し、図１（ｂ）は、ループの周長が最大のときの状態を示している。
【００１７】
また、付勢機構４は、一対のアーム２、３をその上端部２ｕ、３ｕが近づくように連結ピン１８を中心に回動させるための付勢力を、一対のアーム２、３の間に与えるよう構成されている。この付勢機構４は、アーム２、３に内蔵されており、その具体的な構成の一例は、あとで図３を参照して説明する。
【００１８】
図２（ａ）は、石座１のみの斜視図であり、図２（ｂ）は、石座１及びその近傍部分の指輪の斜視図である。
【００１９】
図２（ａ）に示すように、石座１は、中央に支柱１３が突設された中石の石座部１１と、石座部１１の両側に脇石の石座部１２とが設けられている。また、中石の石座部１１の両側には、それぞれピン装着穴１５ａ、１５ｂを有する一対の連結部１４ａ、１４ｂが対向して設けられている。また、両側の各々の一対の連結部１４ａ、１４ｂには、４つの柱部１６が設けられ、この４つの柱部１６によって脇石の石座部１２が支持されている。この石座１は、鋳造加工によって一体的に形成されている。
【００２０】
次に、図２（ｂ）に示すように、一方の一対の連結部１４ａ、１４ｂの間に、アーム２の上端部２ｕを挿入した状態で、連結ピン１７を連結部１４ａ、１４ｂのピン装着穴１５ａ、１５ｂ及び長穴２ａに挿通させ、連結ピン１７をかしめて連結部１４ａ、１４ｂに固定する。ここで、連結ピン１７が長穴２ａ内を自在に移動でき、かつ回動できるように構成されている。これにより、石座１と一方のアーム２とが、所定範囲においてスライド自在に連結されている。
【００２１】
同様にして、石座１と他方のアーム３とが、所定範囲においてスライド自在に連結されている。すなわち、連結ピン１７をアーム３側の連結部１４ａ、１４ｂのピン装着穴１５ａ、１５ｂ及び長穴３ａに挿通させ、連結ピン１７をかしめて連結部１４ａ、１４ｂに固定し、連結ピン１７が長穴３ａ内を自在に移動でき、かつ回動できるように構成されている。
【００２２】
石座１と各アーム２、３とを連結した後、中石５及び２つの脇石６をそれぞれの石座部１１、１２に接着剤を用いて固定する。本例では、中石５が球状の宝石、例えば真珠であり、この真珠に石座部１１の支柱１３が挿入される穴が設けられており、支柱１３によって中石５が強固に支持されるようになっている。なお、指輪は、脇石６及びその石座部１２を有してない構成でもよい。
【００２３】
次に、一対のアーム２、３の下端部２ｄ、３ｄ同士の連結構造及び付勢機構４の一例について説明する。
【００２４】
図３（ａ）は、一対のアーム２、３を側方から見た模式図である。図３（ｂ）は、一対のアーム２、３を裏側から見た図、すなわち、図３（ａ）において、矢印Ａの方向から見た図である。
【００２５】
まず、図３（ｂ）に示すように、アーム２には、アーム３に連結される側の端部（下端部２ｄ）に、ピン挿通穴２１ａを有する突片２１が形成されている。また、アーム３には、アーム２に連結される側の端部（下端部３ｄ）に、２つの分岐部３１が形成され、各分岐部３１にピン装着穴３１ａが形成されている。突片２１を２つの分岐部３１の間に配置して、連結ピン１８を２つの分岐部３１のピン装着穴３１ａ及び突片２１のピン挿通穴２１ａに挿通させ、連結ピン１８をかしめて２つの分岐部３１に固定することにより、一対のアーム２、３が連結ピン１８を中心として回動自在に連結されている。
【００２６】
付勢機構４は、アーム３に取付けられたステンレス製の板ばね４１等によって構成されている。アーム３の内周面には、板ばね４１を装着するための溝３２が設けられている。この溝３２には、板ばね４１の後端４１ｃを収納する窪み３３と、板ばね４１の中間部分４１ｂを保持するための台座３４及びフック３５が設けられている。
【００２７】
板ばね４１は、常態では全体が略Ｌ字状の断面をなしている。そして、板ばね４１を装着する際には、板ばね４１の先端部分４１ａをアーム２の突片２１の内周面２１ｂに当接させて、板ばね４１の後端４１ｃを窪み３３に収納し、板ばね４１の中間部分４１ｂを台座３４とフック３５の間に挟むようにして板ばね４１を装着する。なお、フック３５は、台座３４の上に備えられており、板ばね４１は台座３４からやや浮き上がった状態でフック３５で押さえ付けられてもよい。
【００２８】
このように装着された板ばね４１は、中間部分４１ｂをフック３５にて押さえ付けられて湾曲状をなしているため、後端４１ｃより先端部分４１ａにその全長をもってばね弾性を生じる。そして、板ばね４１の弾発力をもって突片２１の内周面２１ｂを抑えることになる。すなわち、突片２１の内周面２１ｂは、板ばね４１の先端部分４１ａによって常に押さえつけられる。
【００２９】
この状態で、アーム２、３に外力が加わって、一対のアーム２、３の上端部２ｕ、３ｕが遠ざかるようにアーム２、３が回動されたとき、すなわち、アーム２、３が連結ピン１８を中心に矢印ａ１、ａ２の方向に回動されたとき、板ばね４１によってアーム２、３には逆方向（矢印ｂ１、ｂ２の方向）の付勢力が生じる。すなわち、アーム２、３は、その上端部２ｕ、３ｕ同士が近づく方向に板ばね４１によって付勢される。
【００３０】
したがって、例えば、指輪を装着していないときなど、アーム２、３に上記のような外力が加わらないときには、図１（ａ）のように、アーム２、３の上端部２ｕ、３ｕが最も近づいた状態となるように構成している。そして、アーム２、３に上記のような外力が加わって、一対のアーム２、３の上端部２ｕ、３ｕが最も遠ざかった状態が、図１（ｂ）に示す状態である。
【００３１】
上述したように、この指輪は、石座１及び一対のアーム２、３の内周面によって指を挿入するためのループをなし、一対のアーム２、３が互いの下端部（一端部）２ｄ、３ｄにおいて互いに回動自在に連結されるとともに、アーム２、３の上端部（他端部）２ｕ、３ｕと石座１とがスライド自在に連結されていることにより、上記ループの周長を所定範囲内において変化（伸縮）させることができる。ここでの所定範囲（ループの周長の変化可能な長さ）は、アーム２の長穴２ａ内を移動する連結ピン１７の最大移動距離と、アーム３の長穴３ａ内を移動する連結ピン１７の最大移動距離との合算値になる。なお、２つの長穴２ａ、３ａのうちのいずれか一方を、連結ピン１７が回動可能な丸穴とすることも可能であるが、本例のように両方を長穴とした方が好ましい。
【００３２】
このように指を通すループの周長（指輪の内周長）が変化可能（伸縮自在）であるため、例えば、図１（ａ）と図１（ｂ）との中間の状態のときのループの周長が、指輪の装着部分の指の太さとなるように定めて指輪を作製することにより、指の太い関節部分なども容易に通すことができ、指輪を容易に着脱することができる。
【００３３】
そして、指輪を装着しているときには、常時、付勢機構４によって、アーム２、３の上端部２ｕ、３ｕ同士が近づく方向に（すなわち、上記ループの周長が短くなる方向に）アーム２、３が付勢されているため、指輪が回転することなくぴったり指に固定され、良好な状態で装着することができる。
【００３４】
以上のように、ループの周長が変化可能であり、かつ、付勢機構４によって、ループの周長が短くなる方向にアーム２、３が付勢されているため、老化や体重の変動等により、指輪を装着する部分の指の太さが太くなったり、細くなったりした場合でも、容易に着脱でき、かつ良好な状態で指輪を装着することができる。また、本来装着する指とは異なる指にも着脱容易で、かつ良好な状態で装着することや、家族等の他の人が着脱容易で、かつ良好な状態で装着することも可能になる。
【００３５】
なお、上記付勢機構４は、一例であり、これに限られるものではない。例えば、一対のアーム２、３の下端部２ｄ、３ｄを回動自在に連結する連結ピンに、ねじりばねを装着し、このねじりばねの一端をアーム２の内部に係止し、他端をアーム３の内部に係止してアーム２、３を付勢するような構成も考えられる。
【産業上の利用可能性】
【００３６】
本考案は、着脱しやすく、かつ指の太さの変化にも対応して良好な状態で装着することができる指輪等として有用である。
【符号の説明】
【００３７】
１  石座
２，３  アーム
２ｄ，３ｄ  アームの下端部
２ｕ，３ｕ  アームの上端部
４  付勢機構
５  中石
６  脇石
【図１】
0003187251.tif 000003
【図２】
0003187251.tif 000004
【図３】
0003187251.tif 000005